(57)【要約】      （修正有）【課題】ＬＴＥ−ＵにおけるＳＣＳ利用のための方法を提供する。【解決手段】方法は、ＳＣＳ（ｓｈｏｒｔｃｏｎｔｒｏｌｓｉｇｎａｌｉｎｇ）メッセージをＵＥに送信するステップを含む。ＳＣＳメッセージは、基準信号部分と制御信号部分を備える。基準信号部分は、ＵＥが、セル検索、同期、精密時間／周波数トラッキング、ＲＲＭ測定、ラジオ・リンク・モニタリングまたはＣＳＩ報告のうちの少なくとも１つを実行することを可能にする基準信号を含む。制御信号部分は、セルがオンまたはオフであるか、現在の各々のサブフレーム、または、次に来るサブフレームのセットが、オンまたはオフであるか、現在の、または、次に来るラジオ・フレームのＴＤＤアップリンク・ダウンリンク構成、セルがどのオペレータのネットワークに属しているかを識別するためのＰＬＭＮＩＤおよび／またはシステム情報のうちの少なくとも１つを示す。【選択図】図７ａ
2020145715.tif 000002
【特許請求の範囲】
【請求項１】
ＳＣＳ（ｓｈｏｒｔ  ｃｏｎｔｒｏｌ  ｓｉｇｎａｌｉｎｇ）メッセージを少なくとも１つのユーザ装置（ＵＥ）に送信するステップであって、
該ＳＣＳ（ｓｈｏｒｔ  ｃｏｎｔｒｏｌ  ｓｉｇｎａｌｉｎｇ）メッセージは、基準信号部分を備え、
該基準信号部分は、前記少なくとも１つのユーザ装置（ＵＥ）が、セル検索、同期、精密時間／周波数トラッキング、ラジオ資源管理（ＲＲＭ）測定、ラジオ・リンク・モニタリング、または、ＣＳＩ（ｃｈａｎｎｅｌ  ｓｔａｔｅ  ｉｎｆｏｒｍａｔｉｏｎ）報告のうちの少なくとも１つを実行するのを可能にする基準信号を備える、
ステップを含む方法。
【請求項２】
前記ＳＣＳ（ｓｈｏｒｔ  ｃｏｎｔｒｏｌ  ｓｉｇｎａｌｉｎｇ）メッセージは、オプションの制御信号部分を更に含む、請求項１に記載の方法。
【請求項３】
前記基準信号部分は、
一次同期信号（ＰＳＳ：ｐｒｉｍａｒｙ  ｓｙｎｃｈｒｏｎｉｚａｔｉｏｎ  ｓｉｇｎａｌ）、
二次同期信号（ＳＳＳ：ｓｅｃｏｎｄａｒｙ  ｓｙｎｃｈｒｏｎｉｚａｔｉｏｎ  ｓｉｇｎａｌ）、
セル固有基準信号（ＣＲＳ：ｃｅｌｌ−ｓｐｅｃｉｆｉｃ  ｒｅｆｅｒｅｎｃｅ  ｓｉｇｎａｌ）、または、
チャネル情報（ＣＳＩ：ｃｈａｎｎｅｌ  ｓｔａｔｅ  ｉｎｆｏｒｍａｔｉｏｎ）基準信号（ＲＳ：ｒｅｆｅｒｅｎｃｅ  ｓｉｇｎａｌｓ）
のうちの少なくとも１つを含む、ディスカバリ信号に存在する信号を備える、請求項１または請求項２に記載の方法。
【請求項４】
前記ＳＣＳ（ｓｈｏｒｔ  ｃｏｎｔｒｏｌ  ｓｉｇｎａｌｉｎｇ）メッセージは、クリアチャネル評価（ＣＣＡ：Ｃｌｅａｒ  Ｃｈａｎｎｅｌ  Ａｓｓｅｓｓｍｅｎｔ）またはＬＢＴ（ｌｉｓｔｅｎｉｎｇ−ｂｅｆｏｒｅ−ｔａｌｋ）なしで送信される、請求項１ないし３のいずれか１項に記載の方法。
【請求項５】
前記制御信号部分は、
セルがオンまたはオフであるか、
現在の各々のサブフレーム、または、次に来るサブフレームのセットが、オンまたはオフであるか、
現在の、または、次に来るラジオ・フレームの時間分割デュプレックス（ＴＤＤ）アップリンク・ダウンリンク構成、
前記セルがどのオペレータのネットワークに属しているかを識別するためのＰＬＭＮ  ＩＤ（ｐｕｂｌｉｃ  ｌａｎｄ  ｍｏｂｉｌｅ  ｎｅｔｗｏｒｋ  ｉｄｅｎｔｉｆｉｅｒ）、または、
システム情報
のうちの少なくとも１つを示す、請求項２に記載の方法。
【請求項６】
前記制御信号部分は、前記基準信号部分の一部によっても使用されるように、同一の直角周波数分割多重（ＯＦＤＭ）シンボルで送信される、請求項２または請求項５に記載の方法。
【請求項７】
前記送信するステップは、５、１０、１５、２０、４０、８０または１６０ミリ秒の周期性で、前記ＳＣＳ（ｓｈｏｒｔ  ｃｏｎｔｒｏｌ  ｓｉｇｎａｌｉｎｇ）メッセージを送信するステップを含む、請求項１ないし６のいずれか１項に記載の方法。
【請求項８】
前記送信するステップは、ラジオ・フレームのサブフレーム＃０またはサブフレーム＃５の少なくとも１つにおいて、前記ＳＣＳ（ｓｈｏｒｔ  ｃｏｎｔｒｏｌ  ｓｉｇｎａｌｉｎｇ）メッセージを送信するステップを含む、請求項１ないし７のいずれか１項に記載の方法。
【請求項９】
少なくとも１つのプロセッサと、コンピュータ・プログラム・コードを含む少なくとも１つのメモリと、を備える装置であって、
該少なくとも１つのメモリと、該プログラム・コードとは、前記少なくとも１つのプロセッサで、該装置に、少なくとも、ＳＣＳ（ｓｈｏｒｔ  ｃｏｎｔｒｏｌ  ｓｉｇｎａｌｉｎｇ）メッセージを少なくとも１つのユーザ装置（ＵＥ）に送信させるように構成され、
該ＳＣＳ（ｓｈｏｒｔ  ｃｏｎｔｒｏｌ  ｓｉｇｎａｌｉｎｇ）メッセージは、基準信号部分を備え、該基準信号部分は、前記少なくとも１つのユーザ装置（ＵＥ）が、
セル検索、
同期、
精密時間/周波数トラッキング、
ラジオ資源管理（ＲＲＭ）測定、ラジオ・リンク・モニタリング、または、
ＣＳＩ（ｃｈａｎｎｅｌ  ｓｔａｔｅ  ｉｎｆｏｒｍａｔｉｏｎ）報告
のうちの少なくとも１つを実行するのを可能にする基準信号を備える、装置。
【請求項１０】
前記ＳＣＳ（ｓｈｏｒｔ  ｃｏｎｔｒｏｌ  ｓｉｇｎａｌｉｎｇ）メッセージは、該オプションの制御信号部分を更に備える、請求項９に記載の装置。
【請求項１１】
前記基準信号部分は、
一次同期信号（ＰＳＳ：ｐｒｉｍａｒｙ  ｓｙｎｃｈｒｏｎｉｚａｔｉｏｎ  ｓｉｇｎａｌ）、
二次同期信号（ＳＳＳ：ｓｅｃｏｎｄａｒｙ  ｓｙｎｃｈｒｏｎｉｚａｔｉｏｎ  ｓｉｇｎａｌ）、
セル固有基準信号（ＣＲＳ：ｃｅｌｌ−ｓｐｅｃｉｆｉｃ  ｒｅｆｅｒｅｎｃｅ  ｓｉｇｎａｌ）、または、
チャネル情報（ＣＳＩ：ｃｈａｎｎｅｌ  ｓｔａｔｅ  ｉｎｆｏｒｍａｔｉｏｎ）基準信号（ＲＳ：ｒｅｆｅｒｅｎｃｅ  ｓｉｇｎａｌｓ）
のうちの少なくとも１つを含む、ディスカバリ信号に存在する信号を備える、請求項９または請求項１０に記載の装置。
【請求項１２】
前記ＳＣＳ（ｓｈｏｒｔ  ｃｏｎｔｒｏｌ  ｓｉｇｎａｌｉｎｇ）メッセージは、クリアチャネル評価（ＣＣＡ：Ｃｌｅａｒ  Ｃｈａｎｎｅｌ  Ａｓｓｅｓｓｍｅｎｔ）またはＬＢＴ（ｌｉｓｔｅｎｉｎｇ−ｂｅｆｏｒｅ−ｔａｌｋ）なしで送信される請求項９ないし１１のいずれか１項に記載の装置。
【請求項１３】
前記制御信号部分は、
前記セルがオンまたはオフであるか、
現在の各々のサブフレーム、または、次に来るサブフレームのセットが、オンまたはオフであるか、
現在の、または、次に来るラジオ・フレームの時間分割デュプレックス（ＴＤＤ）アップリンク・ダウンリンク構成、
前記セルがどのオペレータのネットワークに属しているかを識別するためのＰＬＭＮ  ＩＤ（ｐｕｂｌｉｃ  ｌａｎｄ  ｍｏｂｉｌｅ  ｎｅｔｗｏｒｋ  ｉｄｅｎｔｉｆｉｅｒ）、または、
システム情報のうちの少なくとも１つを示す、請求項１０に記載の装置。
【請求項１４】
前記制御信号部分は、前記基準信号部分の一部によっても使用されるように、同一の直角周波数分割多重（ＯＦＤＭ）シンボルで送信される、請求項１０または請求項１３に記載の装置。
【請求項１５】
前記制御信号部分は、物理ダウンリンク制御チャネル（ＰＤＣＣＨ）フォーマットを用いて送信され、
前記制御信号部分は、少なくとも１つのダウンリンク制御情報（ＤＣＩ）メッセージを備える、請求項１０、１３または１４に記載の装置。
【請求項１６】
少なくとも１つのメモリとコンピュータ・プログラム・コードとは、前記少なくとも１つのプロセッサで、該装置に、少なくとも、前記制御信号部分のために物理ダウンリンク制御チャネル（ＰＤＣＣＨ）サーチ・スペースを規定させるように、さらに構成される、請求項１０および、１３ないし１５のいずれか１項に記載の装置。
【請求項１７】
少なくとも１つのメモリとコンピュータ・プログラム・コードとは、前記少なくとも１つのプロセッサで、該装置に、少なくとも、
ＲＮＴＩ（ｒａｄｉｏ  ｎｅｔｗｏｒｋ  ｔｅｍｐｏｒａｒｙ  ｉｄｅｎｔｉｆｉｅｒ）で、前記制御信号部分の巡回冗長検査（ＣＲＣ：ｃｙｃｌｉｃ  ｒｅｄｕｎｄａｎｃｙ  ｃｈｅｃｋ）をスクランブルさせ、
クリアチャネル評価（ＣＣＡ：Ｃｌｅａｒ  Ｃｈａｎｎｅｌ  Ａｓｓｅｓｓｍｅｎｔ）またはＬＢＴ（ｌｉｓｔｅｎｉｎｇ−ｂｅｆｏｒｅ−ｔａｌｋ）手続きが使用されないセルを介したラジオ・リソース制御信号によって前記少なくとも１つのユーザ装置（ＵＥ）のＲＮＴＩを信号伝達させるように、
さらに構成される、請求項１０および、１３ないし１６のいずれか１項に記載の装置。
【請求項１８】
前記ＳＣＳ（ｓｈｏｒｔ  ｃｏｎｔｒｏｌ  ｓｉｇｎａｌｉｎｇ）メッセージは、５、１０、１５、２０、４０、８０または１６０ミリ秒の周期性で、送信される、請求項９ないし１７のいずれか１項に記載の装置。
【請求項１９】
前記ＳＣＳ（ｓｈｏｒｔ  ｃｏｎｔｒｏｌ  ｓｉｇｎａｌｉｎｇ）メッセージは、チャネル予約ウィンドウ（ＣＲＷ：ｂｅｇｉｎｎｉｎｇ  ｏｆ  ａ  ｃｈａｎｎｅｌ  ｒｅｓｅｒｖａｔｉｏｎ  ｗｉｎｄｏｗ）の始めに送信される、請求項９ないし１８のいずれか１項に記載の装置。
【請求項２０】
ユーザ装置（ＵＥ）によって、ＳＣＳ（ｓｈｏｒｔ  ｃｏｎｔｒｏｌ  ｓｉｇｎａｌｉｎｇ）メッセージを、ネットワーク・ノードからを受信するステップであって、該ＳＣＳ（ｓｈｏｒｔ  ｃｏｎｔｒｏｌ  ｓｉｇｎａｌｉｎｇ）メッセージは、基準信号部分を備え、前記基準信号部分は、該ユーザ装置（ＵＥ）が、セル検索、同期、精密時間／周波数トラッキング、ラジオ資源管理（ＲＲＭ）測定、ラジオ・リンク・モニタリング、または、ＣＳＩ（ｃｈａｎｎｅｌ  ｓｔａｔｅ  ｉｎｆｏｒｍａｔｉｏｎ）報告のうちの少なくとも１つを実行することを可能にする基準信号を備える、ステップを含む方法。
【請求項２１】
前記ＳＣＳ（ｓｈｏｒｔ  ｃｏｎｔｒｏｌ  ｓｉｇｎａｌｉｎｇ）メッセージは、該オプションの制御信号部分を更に備える、請求項２０に記載の方法。
【請求項２２】
前記ＳＣＳ（ｓｈｏｒｔ  ｃｏｎｔｒｏｌ  ｓｉｇｎａｌｉｎｇ）メッセージは、前記制御信号部分を備えるとき、前記方法は、前記ＵＥによって、前記次に来るサブフレームのうちの１つ以上が、データ通信のために使用されないか否かセル特定情報を判断するステップを更に含む、請求項２１に記載の方法。
【請求項２３】
前記基準信号部分は、
一次同期信号（ＰＳＳ：ｐｒｉｍａｒｙ  ｓｙｎｃｈｒｏｎｉｚａｔｉｏｎ  ｓｉｇｎａｌ）、
二次同期信号（ＳＳＳ：ｓｅｃｏｎｄａｒｙ  ｓｙｎｃｈｒｏｎｉｚａｔｉｏｎ  ｓｉｇｎａｌ）、
セル固有基準信号（ＣＲＳ：ｃｅｌｌ−ｓｐｅｃｉｆｉｃ  ｒｅｆｅｒｅｎｃｅ  ｓｉｇｎａｌ）、または、
チャネル情報（ＣＳＩ：ｃｈａｎｎｅｌ  ｓｔａｔｅ  ｉｎｆｏｒｍａｔｉｏｎ）基準信号（ＲＳ：ｒｅｆｅｒｅｎｃｅ  ｓｉｇｎａｌｓ）
のうちの少なくとも１つを含む、ディスカバリ信号に存在する信号を備える、請求項２０ないし２２のいずれか１項に記載の方法。
【請求項２４】
前記ＳＣＳ（ｓｈｏｒｔ  ｃｏｎｔｒｏｌ  ｓｉｇｎａｌｉｎｇ）メッセージは、クリアチャネル評価（ＣＣＡ：Ｃｌｅａｒ  Ｃｈａｎｎｅｌ  Ａｓｓｅｓｓｍｅｎｔ）またはＬＢＴ（ｌｉｓｔｅｎｉｎｇ−ｂｅｆｏｒｅ−ｔａｌｋ）なしで受信される、請求項２０ないし２３のいずれか１項に記載の方法。
【請求項２５】
前記受信するステップは、５、１０、１５、２０、４０、８０または１６０ミリ秒の周期性で、前記ＳＣＳ（ｓｈｏｒｔ  ｃｏｎｔｒｏｌ  ｓｉｇｎａｌｉｎｇ）メッセージを受信するステップを備える、請求項２０ないし２４のいずれか１項に記載の方法。
【請求項２６】
少なくとも１つのプロセッサと、コンピュータ・プログラム・コードを含む少なくとも１つのメモリと、を備えた装置であって、該少なくとも１つのメモリと、該プログラム・コードとは、前記少なくとも１つのプロセッサで、該装置に、少なくとも、ＳＣＳ（ｓｈｏｒｔ  ｃｏｎｔｒｏｌ  ｓｉｇｎａｌｉｎｇ）メッセージをネットワーク・ノードから受信させるように構成され、前記ＳＣＳ（ｓｈｏｒｔ  ｃｏｎｔｒｏｌ  ｓｉｇｎａｌｉｎｇ）メッセージは、基準信号部分を備え、該基準信号部分は、前記装置が、セル検索、同期、精密時間／周波数トラッキング、ラジオ資源管理（ＲＲＭ）測定、ラジオ・リンク・モニタリング、または、ＣＳＩ（ｃｈａｎｎｅｌ  ｓｔａｔｅ  ｉｎｆｏｒｍａｔｉｏｎ）報告のうちの少なくとも１つを実行することを可能にする基準信号を備える、装置。
【請求項２７】
前記ＳＣＳ（ｓｈｏｒｔ  ｃｏｎｔｒｏｌ  ｓｉｇｎａｌｉｎｇ）メッセージは、該オプションの制御信号部分を更に備える、請求項２６に記載の装置。
【請求項２８】
前記ＳＣＳ（ｓｈｏｒｔ  ｃｏｎｔｒｏｌ  ｓｉｇｎａｌｉｎｇ）メッセージは、前記制御信号部分を備えるとき、前記少なくとも１つのメモリと、前記プログラム・コードとは、該少なくとも１つのプロセッサを用いて、該装置に、少なくとも、前記ＵＥによって、前記次に来るサブフレームのうちの１つ以上が、データ通信のために使用されないか否かを含むセル特定情報を決定させるように構成される、請求項２７に記載の装置。
【請求項２９】
前記制御信号部分は、セルが  オンまたはオフであるか、現在の各々のサブフレーム、または、次に来るサブフレームのセットが、オンまたはオフであるか、現在の、または、次に来るラジオ・フレームの時間分割デュプレックス（ＴＤＤ）アップリンク・ダウンリンク構成、前記セルがどのオペレータのネットワークに属しているかを識別するためのＰＬＭＮ  ＩＤ（ｐｕｂｌｉｃ  ｌａｎｄ  ｍｏｂｉｌｅ  ｎｅｔｗｏｒｋ  ｉｄｅｎｔｉｆｉｅｒ）、または、システム情報のうちの少なくとも１つを示す、請求項２７または請求項２８に記載の装置。
【請求項３０】
前記基準信号部分は、
一次同期信号（ＰＳＳ：ｐｒｉｍａｒｙ  ｓｙｎｃｈｒｏｎｉｚａｔｉｏｎ  ｓｉｇｎａｌ）、
二次同期信号（ＳＳＳ：ｓｅｃｏｎｄａｒｙ  ｓｙｎｃｈｒｏｎｉｚａｔｉｏｎ  ｓｉｇｎａｌ）、
セル固有基準信号（ＣＲＳ：ｃｅｌｌ−ｓｐｅｃｉｆｉｃ  ｒｅｆｅｒｅｎｃｅ  ｓｉｇｎａｌ）、または、
チャネル情報（ＣＳＩ：ｃｈａｎｎｅｌ  ｓｔａｔｅ  ｉｎｆｏｒｍａｔｉｏｎ）基準信号（ＲＳ：ｒｅｆｅｒｅｎｃｅ  ｓｉｇｎａｌｓ）
のうちの少なくとも１つを含む、ディスカバリ信号に存在する信号を備える、請求項２６ないし２９のいずれか１項に記載の装置。
【請求項３１】
前記ＳＣＳ（ｓｈｏｒｔ  ｃｏｎｔｒｏｌ  ｓｉｇｎａｌｉｎｇ）メッセージは、クリアチャネル評価（ＣＣＡ：Ｃｌｅａｒ  Ｃｈａｎｎｅｌ  Ａｓｓｅｓｓｍｅｎｔ）またはＬＢＴ（ｌｉｓｔｅｎｉｎｇ−ｂｅｆｏｒｅ−ｔａｌｋ）なしで受信される、請求項２６ないし３０のいずれか１項に記載の装置。
【請求項３２】
前記少なくとも１つのメモリと、前記プログラム・コードとは、前記少なくとも１つのプロセッサで、該装置に、少なくとも、５、１０、１５、２０、４０、８０または１６０ミリ秒の周期性で、前記ＳＣＳ（ｓｈｏｒｔ  ｃｏｎｔｒｏｌ  ｓｉｇｎａｌｉｎｇ）メッセージを受信させるように構成される、請求項２６ないし３１のいずれか１項に記載の装置。
【発明の詳細な説明】
【技術分野】
【０００１】
本願発明の実施形態は、これらに限られるものではないが、一般に、ＵＴＲＡＮ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）  Ｔｅｒｒｅｓｔｒｉａｌ  Ｒａｄｉｏ  Ａｃｃｅｓｓ  Ｎｅｔｗｏｒｋ）、Ｅ−ＵＴＲＡＮ（Ｌｏｎｇ  Ｔｅｒｍ  Ｅｖｏｌｕｔｉｏｎ  （ＬＴＥ）  Ｅｖｏｌｖｅｄ  ＵＴＲＡＮ）、ＬＴＥ−Ａ（ＬＴＥ−Ａｄｖａｎｃｅｄ）や、将来の５Ｇ無線アクセス技術など、無線通信ネットワークに関連する。
【背景技術】
【０００２】
ＵＴＲＡＮ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）  Ｔｅｒｒｅｓｔｒｉａｌ  Ｒａｄｉｏ  Ａｃｃｅｓｓ  Ｎｅｔｗｏｒｋ）は、基地局またはノードＢ、および、例えば、ラジオ・ネットワーク・コントローラ（ＲＮＣ）を含む通信ネットワークを指す。ＵＴＲＡＮは、ユーザ装置（ＵＥ）とコア・ネットワークとの間の接続を可能にする。ＲＮＣは、１つ以上のノードＢに対するコントロール機能を提供する。ＲＮＣおよびその対応するノードＢは、ラジオ・ネットワーク・サブシステム（ＲＮＳ）と呼ばれる。ＥＵＴＲＡＮ（拡張ＵＴＲＡＮ）の場合には、ＲＮＣが存在せず、ＲＮＣ機能の大部分は、拡張ノードＢ（ｅＮｏｄｅＢまたはｅＮＢ）に含まれる。
【０００３】
ＬＴＥ（Ｌｏｎｇ  Ｔｅｒｍ  Ｅｖｏｌｕｔｉｏｎ）、または、ＥＵＴＲＡＮは、改善された効率とサービス、低いコスト、および、新規のスペクトルの使用の機会を通したＵＭＴＳの改善を指す。特に、ＬＴＥは、少なくとも５０メガビット／秒（Ｍｂｐｓ）のアップリンク・ピーク・レート、および、少なくとも１００Ｍｂｐｓのダウンリンク・ピーク・レートを提供する３ＧＰＰ標準である。ＬＴＥは、２０ＭＨｚから、下に１．４ＭＨｚまでのスケーラブル・キャリア帯域幅をサポートし、ＦＤＤ（Ｆｒｅｑｕｅｎｃｙ  Ｄｉｖｉｓｉｏｎ  Ｄｕｐｌｅｘｉｎｇ）および、ＴＤＤ（Ｔｉｍｅ  Ｄｉｖｉｓｉｏｎ  Ｄｕｐｌｅｘｉｎｇ）の両方をサポートする。
【０００４】
上述のように、ＬＴＥは、また、これは、このキャリアが、所与の帯域幅の上で、より多くのデータ音声サービスを提供することを可能にし、ネットワークにおけるスペクトル効率を改善する。したがって、ＬＴＥは、大容量音声サポートに加えて、高速速度データおよびメディア搬送のニーズを満たすために設計される。ＬＴＥの長所は、例えば、高スループット、低待ち時間、同一プラットホームにおけるＦＤＤ  およびＴＤＤサポート、改善されたエンド・ユーザー体験、低オペレーティング・コストの結果となる単純なアーキテクチャなどを含む。
【０００５】
３ＧＰＰ  ＬＴＥの特定のリリース（例えば、ＬＴＥリリース１０、ＬＴＥリリース１１、ＬＴＥリリース１２、ＬＴＥリリース１３）は、国際モバイル・テレコミュニケーション（ＩＭＴ−Ａ）システムに向かって目標が定められている。ここでは、便宜のため単にＬＴＥ−Ａｄｖａｎｃｅｄ（ＬＴＥ−Ａ）として参照する。
【０００６】
ＬＴＥ−Ａは、３ＧＰＰ・ＬＴＥ無線アクセス技術を拡張し、最適化することに向かっている。ＬＴＥ−Ａのゴールは、コストを削減した、より高データ・レートおよび低待ち時間の手段により、大幅に拡張したサービスを提供することである。ＬＴＥ−Ａは、下位互換性を保ちながら、ＩＭＴ−ＡｄｖａｎｃｅｄのためのＩＴＵ−Ｒ（ｔｈｅ  ｉｎｔｅｒｎａｔｉｏｎａｌ  ｔｅｌｅｃｏｍｍｕｎｉｃａｔｉｏｎ  ｕｎｉｏｎ−ｒａｄｉｏ）要求を満たす、より最適化された無線システムである。ＬＴＥ−Ａのキーとなる特長は、キャリア・アグリゲーションである。それは、２つ以上のＬＴＥキャリアの集積を通して、データ信号速度を上げることを可能にする。
【発明の概要】
【０００７】
１つの実施形態は、ＳＣＳ（ｓｈｏｒｔ  ｃｏｎｔｒｏｌ  ｓｉｇｎａｌｉｎｇ）メッセージを少なくとも１つのユーザ装置（ＵＥ）に送信することを含む方法に向けられたものである。前記ＳＣＳ（ｓｈｏｒｔ  ｃｏｎｔｒｏｌ  ｓｉｇｎａｌｉｎｇ）メッセージは、少なくとも、基準信号部分とオプションの制御信号部分を含む。その基準信号部分と制御信号部分とは、独立に構成し、および／または、独立に送信されることができる。基準信号部分は、ユーザ装置（ＵＥ）うちの少なくとも１つが、セル検索、同期、精密時間／周波数トラッキング、ラジオ資源管理（ＲＲＭ）測定、ラジオ・リンク・モニタリング、または、チャネル状態情報（ＣＳＩ）報告のうちの少なくとも１つを実行することを可能にする基準信号を備えることができる。
【０００８】
別の実施形態は、少なくとも１つのプロセッサと、およびコンピュータ・プログラム・コードを含む少なくとも１つのメモリとを含む装置に向けられたものである。少なくとも１つのメモリとコンピュータ・プログラム・コードは、少なくとも１つのプロセッサを用いて、この装置に、少なくとも、ＳＣＳ（ｓｈｏｒｔ  ｃｏｎｔｒｏｌ  ｓｉｇｎａｌｉｎｇ）メッセージを少なくとも１つのユーザ装置（ＵＥ）に送信させるように構成される。ＳＣＳ（ｓｈｏｒｔ  ｃｏｎｔｒｏｌ  ｓｉｇｎａｌｉｎｇ）メッセージは、少なくとも、基準信号部分およびオプションの制御信号部分を含む。基準信号部分および制御信号部分は、独立に構成し、および／または、独立に送信されることができる。基準信号部分は、ユーザ装置（ＵＥ）うちの少なくとも１つが、セル検索、同期、精密時間／周波数トラッキング、ラジオ資源管理（ＲＲＭ）測定、ラジオ・リンク・モニタリング、または、チャネル状態情報（ＣＳＩ）報告のうちの少なくとも１つを実行することを可能にする基準信号を備えることができる。
【０００９】
別の実施形態は、ユーザ装置（ＵＥ）によって、ネットワーク・ノードからＳＣＳ（ｓｈｏｒｔ  ｃｏｎｔｒｏｌ  ｓｉｇｎａｌｉｎｇ）メッセージを受信するステップを含む方法に向けられたものである。ＳＣＳ（ｓｈｏｒｔ  ｃｏｎｔｒｏｌ  ｓｉｇｎａｌｉｎｇ）メッセージは、少なくとも、基準信号部分とオプションの制御信号部分を備えることができる。その基準信号部分と制御信号部分とは、独立に構成され、および／または、独立に受信されることができる。基準信号部分は、そのユーザ装置（ＵＥ）が、セル検索、同期、精密時間／周波数トラッキング、ラジオ資源管理（ＲＲＭ）測定、ラジオ・リンク・モニタリング、または、チャネル状態情報（ＣＳＩ）報告のうちの少なくとも１つを実行することを可能にする基準信号を備えることができる。
【００１０】
別の実施形態は、少なくとも１つのプロセッサと、コンピュータ・プログラム・コードを含む少なくとも１つのメモリとを含む装置に向けられたものである。その少なくとも１つのメモリとコンピュータ・プログラム・コードは、少なくとも１つのプロセッサを用いて、この装置に、少なくとも、ネットワーク・ノードからＳＣＳ（ｓｈｏｒｔ  ｃｏｎｔｒｏｌ  ｓｉｇｎａｌｉｎｇ）メッセージを受信させるように構成される。ＳＣＳ（ｓｈｏｒｔ  ｃｏｎｔｒｏｌ  ｓｉｇｎａｌｉｎｇ）メッセージは、少なくとも、基準信号部分およびオプションの制御信号部分を備えることができる。基準信号部分および制御信号部分は、独立に構成され、および／または、独立に受信されることができる。基準信号部分は、前記装置が、セル検索、同期、精密時間／周波数トラッキング、ラジオ資源管理（ＲＲＭ）測定、ラジオ・リンク・モニタリング、または、チャネル状態情報（ＣＳＩ）報告のうちの少なくとも１つを実行することを可能にする基準信号を備えることができる。
【図面の簡単な説明】
【００１１】
本願発明の適切な理解のために、添付の図面を参照しなければならない。ここで、
【図１】図１は、免許不要帯域使用（ｕｎｌｉｃｅｎｓｅｄ  ｓｐｅｃｔｒｕｍ  ｕｓａｇｅ）のためにとっておかれた５ＧＨｚの帯域の関連した部分の例を図示する。
【図２】図２は、欧州連合規則の下でのフレーム・ベース装置オペレーションの例を図示する。
【図３】図３は、実施形態にしたがうＬＴＥのＦＤＤ構造の例を図示する。
【図４】図４は、実施形態にしたがうＴＤＤ構造の例を図示する。
【図５ａ】図５ａは、実施形態にしたがう制御信号部分を含むＳＣＳの例を図示する。
【図５ｂ】図５ｂは、実施形態にしたがう制御信号部分を含むＳＣＳの例を図示する。
【図６ａ】図６ａは、実施形態にしたがう装置のブロック図を示す。
【図６ｂ】図６ｂは、別の実施形態にしたがう装置のブロック図を示す。
【図７ａ】図７ａは、実施形態にしたがう方法のフローチャートを図示する。
【図７ｂ】図７ｂは、別の実施形態にしたがう方法のフローチャートを図示する。
【発明を実施するための形態】
【００１２】
本願発明のコンポーネントは、ここに、一般的に記載され、図において図示されるように、幅広い種々の異なる構成において、構成し、設計することができることはすぐに理解される。このように、以下の詳細な説明は、添付の図において表されるように、ＬＴＥ、ＬＴＥ−Ａ、または、ＬＴＥ−Ｕ（ＬＴＥ免許不要）などの無線システムのための信号伝達構成のためのシステム、方法、装置、および、コンピュータ・プログラム・プロダクトの実施形態は、本願発明の範囲を制限することを意図するものではなく、本願発明の選択された実施形態を、単に、表現するものである。
【００１３】
本願明細書を通して、記載される発明の特徴、構造、または、特性は、１つ以上の実施形態における任意の適切な方法において、組み合わせることができる。例えば、「特定の実施形態」、「いくつかの実施形態」のフレーズ、または、他の同様な言葉の使用は、本願明細書を通して、実施形態に関連して記述される特定の特徴、構造、または、特性を、本願発明の１つの少なくとも実施形態において含むことができるという事実を指す。このように、「ある実施形態において」、「いくつかの実施形態において」、「特定の実施形態において」のフレーズ、または、他の同様な言葉、の出現は、本願明細書を通して、全部が、必ずしも実施形態の同じグループを指す必要はない。記載された特徴、構造、または特性は、任意の適切な方法において、１つ以上の実施形態において、組み合わせることができる。
【００１４】
加えて、必要に応じて、下記で議論される異なる機能を、互いに、異なる順序で、および／または、並行して実行することができる。更にまた、必要に応じて、記載された機能の１つ以上は、オプションでありえる、または、結合されることができる。このため、以下の記載は単に、本願発明の原理、教示、および、実施形態の例示として考えなれなければならないものであり、それらを制限するものではない。
【００１５】
本願発明のある実施形態は、ＬＴＥ−Ａ（  ＬＴＥ−Ａｄｖａｎｃｅｄ）システムに関し、より具体的には、ＬＴＥ−Ｕ（ＬＴＥ−Ｕｎｌｉｃｅｎｓｅｄ  ）のための制御信号伝達構成に向けられたものである。これは、また、ＬＡＡ（Ｌｉｃｅｎｓｅｄ−Ａｓｓｉｓｔｅｄ  Ａｃｃｅｓｓ）として知られている。いくつかの実施形態が、ＬＢＴ（ｌｉｓｔｅｎ  ｂｅｆｏｒｅ  ｔａｌｋ）要求にしたがいながら、ＬＴＥ−Ｕセルへの同期を維持するためにユーザ装置（ＵＥ）またはモバイル・デバイスに必要な信号のための伝送フォーマットに向けられたものである。
【００１６】
実施形態は、産業、科学、医学（ＩＳＭ）帯域がサポートされる、５ＧＨｚに対して規定された欧州連合規則に基づいたＬＢＴ手続きを想定する。図１は、免許不要帯域使用（ｕｎｌｉｃｅｎｓｅｄ  ｓｐｅｃｔｒｕｍ  ｕｓａｇｅ）のためにとっておかれた５ＧＨｚ帯域の関連した部分の例を図示する。しかしながら、実施形態は、欧州のスペクトル配分、または、欧州連合規則に制限されるものではなく、ある例示的実施形態は、他の司法管轄区域に等しく適用できることに留意する必要がある。
【００１７】
いくつかのオペレータは、ＬＴＥ−Ｕ作業の目的および、ＬＴＥ−Ｕに関係するメッセージは、
●ライセンス帯域ＬＴＥは、免許不要帯域よりも、より良いサービス品質を有し、これは、異なるオペレータ（および技術）によって、共有することができる、
●ＬＴＥ−Ｕは、ライセンス帯域の上のＬＴＥに対して相補的であり、ＬＴＥ−Ｕは、より以上のライセンス帯域に対する要求にインパクトをあたえない、
●例えば、プライマリ・セル（ＰＣｅｌｌ）がライセンス帯域の上にあるキャリア・アグリゲーションを用いて、ライセンス帯域ＬＴＥ動作に頼るように、ＬＴＥ−Ｕを開発しなければならない、
を含むと考えられる。
【００１８】
更にまた、いくつかのオペレータは、ＬＴＥ−Ｕは、ダウンリンク・オンリー・オペレーションのみをサポートしなければならない（補助ダウンリンク（ＳＤＬ））という見解を表明する。時間分割デュプレックス（ＴＤＤ）オペレーションのためのサポートを、また、考えることができる。
【００１９】
ＬＴＥ−Ｕは、少なくとも部分的には、次の理由によって、ＬＴＥリリース１３（Ｒｅｌ−１３）に対するトピックの候補と考えられる。
●ライセンス免除帯域の上のＬＴＥは、オペレータの追加的なスペクトル機会を提供する、
●ワイヤレス・データ使用は、指数的に成長しており、オペレータは、ネットワークにおける容量制約に直面している、
●利用可能なライセンス・スペクトルは、限られており、取得するのに非常に高くつくことあり得る、
●ＷｉＦｉオフローディングが、免許不要スペクトルの利用に対するソリューションとして、しばしば挙げられるが、しかし、ＬＴＥは、システムが、ロードがヘビーになったときに、ＷｉＦｉよりはるかに良く動作することができる。
【００２０】
免許不要のキャリアの不必要な伝送は、同一のキャリア周波数の上で動作する他のデバイスまたはアクセス・ポイントと干渉することを避けるために、最小限のレベルに保たれる必要があることは、一般的によく理解されている。一方で、動作することが可能であるために、ＵＥは、いくつかの定義済み信号に基づいて、セルに最初に同期する必要がある。ｅＮｏｄｅＢ（またはＬＴＥ−Ｕアクセス・ポイント）が、ＬＢＴなどの規則の要求にしたがうために時々、ＤＬ伝送を中止する（すなわち、オン／オフ動作のスイッチングを実行する）必要があることを考えると、ＵＥ動作のための２つの代替的な方法を、（１）  非同期オン／オフ動作、および、（２）  同期オン／オフ動作、の同期の視点から識別できる。
【００２１】
非同期オン／オフ動作の動作は、セル（すなわち、ｅＮＢまたはＡＰ）が、オフになると、ＵＥは、十分に密度が高い基準信号（例えば、セル固有基準信号（ＣＲＳ：ｃｅｌｌ−ｓｐｅｃｉｆｉｃ  ｒｅｆｅｒｅｎｃｅ  ｓｉｇｎａｌ））が不在であるために正確な同期をもはや維持しないことを仮定する。したがって、オフ期間の間に、ｅＮｏｄｅＢは、（例えば、構成されると発見信号のみが送信されることができるなど）できるだけ少なく送信することができ、それで、干渉を最低限に保ちながら、エネルギー節約を最大にする。このオプションの欠点は、セルが再びオン状態の方に動かされたあとで、セルの同期を再獲得するために要求される時間に関連がある。３ＧＰＰにおいて、同期を回復するために、ＵＥに必要とされる時間がどれだけかついてはっきりしたコンセンサスは見えない。しかし、第１の推測見積もりは、キャリア・アグリゲーション（ＣＡ）におけるセカンダリ・セル（ＳＣｅｌｌ）アクティブ化に適当な現在の要求から引き出すことができる。これは、最大３４ｍｓかかる。加えて、オン／オフ標示のための、いくつかの追加的な待ち時間を、同様に考慮する必要がある。これは、非同期オン／オフ動作を、ＬＴＥ−Ｕシナリオにおいて、むしろ非実用的にする。ここで、ＬＢＴは、チャネルが利用可能であるかをチェックするために、比較的頻繁に実行する必要があり得る。
【００２２】
同期オン／オフ動作は、ＵＥが常に同期したままであることを仮定する。この目的のために、同期のために要求される信号（一次同期信号（ＰＳＳ：ｐｒｉｍａｒｙ  ｓｙｎｃｈｒｏｎｉｚａｔｉｏｎ  ｓｉｇｎａｌ）／二次同期信号（ＳＳＳ：ｓｅｃｏｎｄａｒｙ  ｓｙｎｃｈｒｏｎｉｚａｔｉｏｎ  ｓｉｇｎａｌ））のみならず、時間／周波数トラッキングのために使用される基準信号（例えば、ＣＲＳ）は、合理的に頻繁に伝送される必要があり得る。新キャリア・タイプ（ＮＣＴ：ｎｅｗ  ｃａｒｒｉｅｒ  ｔｙｐｅ）の研究による発見は、およそ５−１０ミリ秒の周期性が、ＣＲＳ伝送がこれを達成するために要求されることを示した。これは、ｅＮｏｄｅＢエネルギー節約／オン／オフ・スイッチングのための可能性をかなり制限し、トランスミッタが、セルにおいてトラフィックがあるか否かを問わず、すべてのサブフレームの１０−２０％において、同期を容易にするために伝送する必要があるときに、干渉を増加する。一方で、オン／オフ動作の過渡時間は、実際には瞬間的であり、セルは、そのステータスがオン状態に変化させられたあと、直ちにデータを取り扱うことができる。そして、セル・オン／オフ・スイッチングの性能ポテンシャルを、最大にすることができる。ＬＴＥ−Ｕシナリオを考慮すると、同期動作は、それが非常に急速な（１ｍｓのタイム・スケール）オン／オフ・スイッチングを可能とするので、明確な長所を有する。
【００２３】
同期に加えて、また、ＬＴＥ−Ｕセルからの測定のラジオ資源管理（ＲＲＭ）タイプのみならず、定期的に送信された信号は、また、セル・ディスカバリ／検出／識別を可能にする。加えて、ＵＥによる無線リンク・モニタリングのみならず、チャネル状態情報（ＣＳＩ）計算、および、報告を、サポートすることができる。
【００２４】
しかしながら、問題は、セル・ディスカバリ／識別、ＲＲＭ測定、ＣＳＩ測定、ラジオ・リンク・モニタリング、および、レギュレータによってセットされるＬＢＴ要求に応じている間のＵＥ同期などのうちの少なくとも１つを容易にするために、どのように（基準）信号を、定期的に送信するか、に関連している。
【００２５】
異なる地域は、免許不要帯域動作に対して異なる規則の要求を有する。これらは、３ＧＰＰ寄稿ＲＰ−１４００５４（「Ｒｅｖｉｅｗ  ｏｆ  Ｒｅｇｕｌａｔｏｒｙ  Ｒｅｑｕｉｒｅｍｅｎｔｓ  ｆｏｒ  Ｕｎｌｉｃｅｎｓｅｄ  Ｓｐｅｃｔｒｕｍ」）にまとめられる。その規則にもかかわらず、ＬＴＥは、免許不要スペクトルにおいて、まだ展開されていない。
【００２６】
例えば、ＥＮ  ３０１  ８９３は、５ＧＨｚの帯域における免許不要帯域に対する欧州連合規則の要求を規定する。それは、動作のモードの２つのタイプを定義する。（１）フレーム・ベース装置、および、（２）ロード・ベース装置、である。フレーム・ベース装置は、送信／受信構造が、直接的にデマンド・ドリブンではないが、固定タイミングを有する、装置である。そして、ロード・ベース装置は、送信／受信構造が、時間的に固定ではないが、デマンド・ドリブンである装置である。いくつかの実施形態において、フレーム・ベース装置は、ロード・ベース装置と比較して、ＬＴＥ−Ｕ動作に対してより適切でありえると仮定されている。しかしながら、本願発明の実施形態は、また、ロード・ベース装置にも適用することができる。
【００２７】
図２は、ＥＮ  ３０１  ８９３の欧州連合規則の下でのフレーム・ベース装置動作の例を図示する。特に、ＥＮ  ３０１  ８９３は、フレーム・ベース装置は、以下の要求に応じなければならないことを示す。
１）動作チャネル上で伝送を開始する前に、装置は、「エネルギー検出」を用いて、クリア・チャネル・アセスメント（ＣＣＡ）チェックを実行しなければならない。装置は、２０μｓより少なくないＣＣＡ観測時間の期間において、動作チャネルを観測しなければならない。装置によって使用されるＣＣＡ観測時間は、製造者によって宣言されなければならない。下記の５）で与えられる電力レベルに対応する、そのチャネルのエネルギー・レベルが閾値を上回るならば、動作チャネルは、占有されていると考えるべきである。装置が動作チャネルがクリアであるとわかるならば、直ちに送信することができる（下記の３））。
２）装置が、動作チャネルが占有されているとわかるならば、それは、次の固定フレーム期間には、そのチャネル上で送信しない。装置は、下記に概説する４．９．２．３節において、それが要求に応ずるとすれば、このチャネル上で、ショート制御信号伝送を続けるのを許される。多重（隣接または非隣接）動作チャネルの上で同時伝送を有する装置に対して、装置は、ＣＣＡチェックが、それらのチャネルで全く信号を検出しなかったとすれば、他の動作チャネルの上で伝送を続けるのを許される。
３）所与のチャネルにおいて、そのチャネルの可用性を再評価することのなしで、装置が伝送を有する間の合計時間は、チャネル占有時間として定義される。チャネル占有時間は、１ｍｓ−１０ｍｓの範囲であり、最低アイドル期間は、現在の固定フレーム期間に対して、装置によって使用されるチャネル占有時間の少なくとも５％である。アイドル期間の終わりの方に、装置は、上の１）において記載したように、新規のＣＣＡを実行する。
４）装置は、この装置を意図したパケットの正しい受信と同時に、ＣＣＡをスキップすることができ、そして、直ちに、管理と制御フレーム（例えば、ＡＣＫとブロックＡＣＫフレーム）との伝送を進めることができる。装置によるそのような伝送の連続的なシーケンスは、新規のＣＣＡを実行することなく、上の３）で定められるように、最大チャネル占有時間を上回らない。マルチ・キャストの目的のために、個々のデバイスの（同一のデータ・パケットと関係する）ＡＣＫ伝送が、一連に起こることが許される。
５）ＣＣＡに対するエネルギー検知の閾値は、トランスミッタの最大送信パワー（ＰＨ）に比例している。２３ｄＢｍの実効輻射電力（ｅ．ｉ．ｒ．ｐ．）トランスミッタに対して、ＣＣＡ閾値レベル（ＴＬ）は、レシーバ（０ｄＢｉ受信アンテナとすると）への入力において−７３ｄＢｍ／ＭＨｚ以下である。他の送信電力レベルに対して、ＣＣＡ閾値レベルＴＬは、次式を用いて計算される。ＴＬ＝−７３ｄＢｍ／ＭＨｚ＋２３−ＰＨ（０ｄＢｉ受信アンテナとｄＢｍ  ｅ．ｉ．ｒ．ｐ．で特定されるＰＨとを仮定する）。
【００２８】
装置が、ショート制御信号の伝送を続けることを許可する同一の基準は、また、ＥＮ  ３０１  ８９３の４．９．２．２におけるロード・ベース装置動作の記載において与えられる。基本的に、ショート制御信号メッセージは、チャネルを感知することなく、あるいは、チャネルが占有されていることが検出された場合であってさえ、送信されることができる。ショート制御信号（ＳＣＳ）は、ＥＮ３０１  ８９３、第４．９．２．３節において、以下のように、規定される。４．９．２．３  ショート制御信号伝送４．９．２．３．１  定義ショート制御信号伝送は、他の信号の存在のためのチャネルを感知することなく（ＡＣＫ／ＮＡＣＫ信号など）管理または制御フレームを送信するために、前記適応装置によって用いられる伝送である。備考：適応装置は、ショート制御信号伝送を有することができても、できなくてもよい。４．９．２．３．２  制限インプリメントされるならば、適応装置のショート制御信号伝送は、５０ｍｓの観測期間内に５％の最大デューティ・サイクルを有する。
【００２９】
したがって、本願発明の実施形態は、ＬＴＥ−ＵにおけるＳＣＳ利用のためのフレームワークを提供する。特に、ある実施形態は、（ａ）ＬＴＥ−Ｕセルを発見する、（ｂ）ＲＲＭ測定を実行する、（ｃ）ＣＳＩ測定を実行する、または、（ｄ）ＬＴＥ−Ｕセルに対して常に、（あるいは、そのように構成さえるときはいつでも）同期を維持するまた、ｅＮｏｄｅＢは、レギュレータによってセットされるＬＢＴ要求に背かないのうちの少なくとも１つをＵＥが行うことができるように、ＬＴＥ−Ｕに対するショート制御信号（ＳＣＳ）構造を定義する。例示的な実施形態において、ＳＣＳは、別々に構成、および／または、送信されることができる２つの部分に分割される。
【００３０】
実施形態においては、ＳＣＳの第１の部分は、基準信号部分である。ＳＣＳの基準信号部分は、ＵＥが、例えば、セル検索、同期、精密時間／周波数トラッキング、ＲＲＭ測定、ラジオ・リンク・モニタリング、および／または、ＣＳＩ報告などを実行することを可能にする基準信号を備える。ある実施形態において、これらの基準信号は、ディスカバリ信号に存在する信号を含む。すなわち、ＰＳＳ／ＳＳＳ／ＣＲＳ、および、おそらくＣＳＩ−ＲＳである。１つの例示的実施形態において、ＳＣＳの基準信号の部分は、ＬＴＥ  Ｒｅｌ．  １２ディスカバリ信号に基づいたものであることができる。
【００３１】
ＳＣＳの第２の部分は、制御信号部分である。その制御信号部分は、ＣＣＡ手続きなしで送信することができる。これゆえに、ｅＮＢのＣＣＡの結果にかかわらず、ＬＴＥ−Ｕセルにおいて連続ＤＬ制御接続を維持することが可能になる。ＳＣＳの制御信号部分は、以下のプロパティのうちの１つ以上を示すことができる。
１．ＬＴＥ−Ｕセルがオンであるか、または、オフであるか。言い換えると、ＵＥが、後続するサブフレームにおける基準信号および共通物理チャネルが送信されることを仮定することができるか否か。１つの実施形態において、これは、ＣＣＡが成功していたか否かを示すことに等しい。
２．サブフレームの各々が存在するか、または、サブフレームの次に来るセット（ラジオ・フレーム、または、ラジオ・フレームの半分など）が、オンであるか、または、オフであるか。言い換えると、どの後続するサブフレームにおいて、ＵＥが、基準信号および共通物理チャネルが送信されることを仮定することができるか否か。
３．現在の、または、次に来るラジオ・フレームに対するＴＤＤ  ＵＬ−ＤＬ構成。
４．ＬＴＥ−Ｕセルが、どのオペレータのネットワークに属しているかを識別するためのＰＬＭＮ  ＩＤ（Ｐｕｂｌｉｃ  ｌａｎｄ  ｍｏｂｉｌｅ  ｎｅｔｗｏｒｋ  ｉｄｅｎｔｉｆｉｅｒ）。
５．キャリア・ドメイン関連情報：−これは、例えば、報知チャネル（ＰＢＣＨ：ｐｈｙｓｉｃａｌ  ｂｒｏａｄｃａｓｔ  ｃｈａｎｎｅｌ）により、または、システム情報ブロック（ＳＩＢｓ：ｓｙｓｔｅｍ  ｉｎｆｏｒｍａｔｉｏｎ  ｂｌｏｃｋｓ）内で、通常ＬＴＥで搬送される情報、すなわち、システム情報などを含む。
【００３２】
ＳＣＳの制御信号部分は、物理ダウンリンク制御チャネル（ＰＤＣＣＨ）フォーマットを用いて送信することができる。例示的実施形態において、ＳＣＳの制御信号部分は、１つ以上のダウンリンク制御情報（ＤＣＩ）メッセージを備える。これらのＤＣＩメッセージのサイズは、ＤＣＩフォーマット１Ｃや０／１Ａなど既存のＤＣＩメッセージのサイズと整列することができる。例示的実施形態において、その制御信号部分は、また、例えば、ＰＤＣＣＨの第１のＯＦＤＭシンボルにおいて、チャネル占有をできるだけ低く保つために、いくつかの基準信号部分によって使用されるように、同一の直交周波数分割多重（ＯＦＤＭ）シンボルのなかで伝送することができる。１つの実施形態において、特定のＰＤＣＣＨサーチ領域を、ＳＣＳ制御信号部分に対して定義することができる。実施形態にしたがって、制御信号部分の巡回冗長検査（ＣＲＣ）は、特定のラジオ・ネットワーク一時的識別子（ＲＮＴＩ：ｒａｄｉｏ  ｎｅｔｗｏｒｋ  ｔｅｍｐｏｒａｒｙ  ｉｄｅｎｔｉｆｉｅｒ）とスクランブルされる。
【００３３】
ＳＣＳの制御信号部分の存在は、ｅＮＢのスケジューリング決定に依存することができ、したがって、その存在は、オプションであり得る。例えば、ＵＥがＳＣＳの制御信号部分を検出しない場合、以下のサブフレームが、データ通信のために利用されず、ＳＣＳ以外の信号を含まないことを仮定することができる。いくつかの実施形態において、例えば、ＰＬＭＮ  ＩＤを含む、あるキャリア・ドメイン関連情報は、必ずしも、基準信号部分と同じ周期で伝送する必要はない。しかし、基準信号部分の任意の他の周期的伝送の場合において、存在するだけである。
【００３４】
ＳＣＳ周期的伝送の第３のプロパティは、例示的実施形態において、例えば、好適な、５、１０ｍｓまたは２０ｍｓの周期性を含むことができる。１つの実施形態において、ＳＣＳを、ラジオ・フレームのサブフレーム＃０、および／または、サブフレーム＃５において、伝送することができる。別の実施形態において、ＳＣＳは、チャネル予約ウィンドウ（ＣＲＷ：ｃｈａｎｎｅｌ  ｒｅｓｅｒｖａｔｉｏｎ  ｗｉｎｄｏｗ）の開始において、起こることがあり得る。ＣＲＷは、それが再びＬＢＴを実行することを必要とするまで、ネットワークが、である確保／利用するリソース（例えば、サブフレーム）を含むと考えることができる。
【００３５】
下記で議論される図３−図５は、ＳＣＳのいくつかの例を図示する。それは、基準信号、そして、おそらく制御部を含むことができる。上で示したように、１つの実施形態において、基準信号部分は、３ＧＰＰ  Ｒｅｌ−１２ディスカバリ信号設計に基づいたものであることができる。図３の例は、単一のサブフレーム（例えば、  ＃０だけ）に、ＰＳＳ／ＳＳＳ／ＣＲＳを含むＬＴＥのＦＤＤ構造のケースを図示する。ＴＤＤ構造の場合には、図４の例の図示されるように、基準信号部分は、ＰＳＳからわずかに異って見ることができ、ＳＳＳは、異なるサブフレームに位置する。
【００３６】
図５ａと図５ｂは、制御信号部分が含まれたＳＣＳの例を図示する。図５ａおよび図５ｂの例において表されるように、制御信号部分を第１のＯＦＤＭシンボル（すなわち、シンボル＃０）にマッピングすることは、ＬＴＥ−Ｕセルが送信しているときに、時間インスタンスを最小にすることに関して有益でありえる。
【００３７】
例示的実施形態にしたがって、ＳＣＳフォーマットは、ｅＮＢのＣＣＡ／ＬＢＴ結果にかかわらず、不変のままでありえる。この実施の形態において、これは、ＳＣＳによって占められるリソース要素が、他の信号（または目的）によって使用されないことを意味する。
【００３８】
実施形態においては、ＳＣＳおよび適用されるフレーム・フォーマットの間に接続がある。すべてのＵＥは、セルにおけるＳＣＳ構成を知るようにすることができる。ＳＣＳは、（所与のセルにおける）ＳＣＳ時間インスタンスにおいて、ｅＮＢは、Ｔｘフェーズであり、すべてのＵＥは、Ｒｘフェーズであるように設計することができる。例示的実施形態において、ＬＴＥ−Ｕセルにおいて動作するとき、いかなるＵＥも、ＳＣＳ時間インスタンスの間に、ＬＴＥ−Ｕキャリアで送信することは可能ではない。
【００３９】
ＳＣＳ構造を定義するとき、ＳＣＳを搬送しているＯＦＤＭＡシンボルの数を、最小にすることができる。ＳＣＳを含んでいるシンボルの部分は、所定の期間（例えば、５０ｍｓ）にわたって測定したとき、所定の部分（例えば、５％）より小さいか、あるいは、等しい。これゆえに、ＳＣＳの制御部は、基準信号部分も搬送するシンボルの上で、好適には送信される（図５上部参照）。
【００４０】
実施形態は、セルの（セミ・スタティックな）オン／オフ状態についての情報を伝達することを含むことができる。オフ状態において、ＬＴＥ−Ｕセルは、いかなるユーザにも、サービスすることを試行しない。このように、ＳＣＳだけが、ＬＴＥ−Ｕセルから送信され、ｅＮＢは、いかなるＣＣＡをも実行しようと試行することはない。オフ状態において、ＵＥは、ＳＣＳ部分に含まれたものの他ＬＴＥ−Ｕセルからの他の信号の存在を仮定しない。したがって、ＵＥは、いかなる（Ｅ）ＰＤＣＣＨをも（ブラインドする）復号化することも、あるいは、いかなるＰＤＳＣＨを期待することも、どちらも試行することはない。また、周期的ＳＣＳを含んでいるもの以外のＬＴＥ−Ｕキャリアのベースバンド・サンプルをつくる必要さえない。
【００４１】
オン状態において、ＬＴＥ−Ｕセルは、ユーザにサービスすることを試行することができる。このように、ＣＣＡ期間の間のＬＢＴ結果に依存して、ｅＮＢは、伝送することができる、または、チャネルが占有されていると考えられるならば、伝送を停止することができる。オン状態において、ＵＥ挙動は、チャネル可用性の追加的信号伝達／ＬＴＥ−Ｕセル伝送が、ＳＣＳ制御部分に追加的に含まれるか否かに依存することができる。別の信号伝達が存在するならば、ＵＥは、ＬＴＥ−Ｕセルが、次に来るサブフレームの間に送信できる、または、できないかを知っている（ＣＣＡ結果に依存する）。別の信号伝達／標示が存在しないならば、ＵＥが、ＬＴＥ−ＵセルｅＮＢにおいてチャネルが、伝送のために利用可能であるとみなされるかどうかを知ることはない。したがって、ＵＥは、関連したポスト−ＦＦＴベースバンド・サンプルをつくり、復調のために関連する基準信号が存在することを仮定して、ＬＴＥ−Ｕキャリアの上で盲目的に（Ｅ）ＰＤＣＣＨを復号化しようと試みる。さらに、ＵＥは、ＬＴＥ−Ｕセル（Ｅ）ＰＤＣＣＨ上の制御情報に基づく、または、いくつかのレガシー、ライセンス帯域キャリアのクロス・キャリア・スケジューリングを通して、ＰＤＳＣＨアロケーションが存在する場合には、ＰＤＳＣＨ復号化のためにＢＢサンプルを格納することを要求される。
【００４２】
実施形態は、サブフレームの現在の、または、次に来るセットにおいて／を使用して送信しているｅＮＢについて情報を伝達することを含むことができる。実施形態において、ＳＣＳのコントロールの部分を、サブフレームの現在の、または、次に来るセットにおいて送信する（ことができる）か否か、したがって、ＵＥは、可能なデータに対してセルをモニターし、このサブフレームのセットにおける信号送信を制御することが必要か否かについての情報を伝達するために使用することができる。これは、セルにおいて、ｅＮＢのＣＣＡ結果をブロードキャストする方法として考えることができる。このタイプのチャネル可用性／利用化の動的信号伝達は、（構成される）チャネル予約ウィンドウ長が、最短サポート／許容ＳＣＳ周期より長いか、等しい場合において有効であるのみである。
【００４３】
実施形態において、「オン」サブフレームが、あらゆるサブフレームの中に存在するＣＲＳを有するものとして特徴づけられる。（代替的に、ＣＲＳが、それらのサブフレームの間に存在すると規定することが可能である。）これらは、ＵＥ  側においてＣＳＩを測定するために使用することができる（有効なＰＤＣＣＨは、ＣＳＩ測定を支援することができる）。１つの実施形態にしたがって、ＵＥは、それらの「オン」サブフレームの間に、（Ｅ）ＰＤＣＣＨを復号化することが予期される。
【００４４】
実施形態においては、「オフ」サブフレームが、他の信号、または、存在する可能なＳＣＳ以外のチャネルを有さないものとして特徴づけられる。この実施の形態において、ＣＳＩは、それらの「オフ」サブフレームの間に、測定されない。ＵＥは、それらの「オフ」サブフレームの間に、（Ｅ）ＰＤＣＣＨを復号化することを予期されない。「オフ」サブフレームは、ｅＮＢのＣＣＡの結果が否定的である場合に、構成することができる。
【００４５】
ある実施形態において、２つのタイミング・オプションが、ＳＣＳの制御部に対して、識別される。１つのオプションにおいて、ＳＣＳ制御部がＣＣＡ結果を示すならば、ＳＣＳ制御部を、同じチャネル予約ウィンドウの第１サブフレームにおいて、伝送することができる。
【００４６】
第２のオプションにおいて、関連したＳＣＳの周期性は、設定可能にすることができる。それは、周期性を減少することを可能にし、（関連したＳＣＳを、ｅＩＭＴＡの現在のＵＬ−ＤＬ再構成インディケータと極めて同様にする）ＵＥのために合理的なＳＣＳ処理時間を提供する。この場合において、ＳＣＳ制御部は、ＰＬＭＮ  ＩＤ、キャリア・ドメイン情報、または、他の静的システム情報、または、セルの半静的オン／オフ状態についての情報のような静的または半静的情報を伝達することができる。このオプションは、ＣＲＷ長が、最短サポート／許容ＳＣＳ周期より長いか、等しい、または、ＣＲＷが、ＳＣＳ制御部伝送と時間整列することができない場合において、特に関連する。
【００４７】
図６Ａは、実施形態にしたがう、装置１０の例を図示する。実施形態において、装置１０は、ＬＴＥにおける、それアクセス・ポイント、基地局、またはｅＮＢなど通信ネットワークにおける、または、そのようなネットワークにサービスするノード、ホスト、または、サーバであることができる。当業者は、装置１０は、図６Ａにおいて示されないコンポーネントや特徴を含むことができることを理解することに留意する。
【００４８】
図６Ａにおいて図示されるように、装置１０は、情報処理、命令実行または動作のためのプロセッサ２２を含む。プロセッサ２２は、いかなるタイプの汎用または特定目的プロセッサでもあり得る。シングル・プロセッサ２２が、図６Ａにおいて示されるが、マルチ・プロセッサを、他の実施形態にしたがい、利用することができる。実際に、プロセッサ２２は、例えば、汎用コンピュータ、専用コンピュータ、マイクロプロセッサー、デジタル信号プロセッサ（ＤＳＰ）、フィールド・プログラマブル・ゲートアレイ（ＦＰＧＡｓ）、特定用途向け集積回路（ＡＳＩＣ）および、マルチコア・プロセッサ・アーキテクチャに基づいたプロセッサのうちの１つ以上を含むことができる。
【００４９】
装置１０は、（内部または外部）メモリ１４を更に含む、あるいは、結合することができる。これは、情報や、プロセッサ２２により実行することができる命令を格納するために、プロセッサ２２に結合することができる。メモリ１４は、１つ以上のメモリであることができ、ローカル・アプリケーション環境に適切ないかなるタイプであることができる。そして、例えば、半導体ベースのメモリ・デバイス、磁気メモリ・デバイスおよびシステム、光メモリ・デバイスおよびシステム、固定メモリ、および、脱着可能メモリのような任意の適切な揮発性または不揮発性のデータ格納技術を用いてインプリメントすることができる。例えば、メモリ１４は、ランダム・アクセス・メモリ（ＲＡＭ）、リード・オンリー・メモリ（ＲＯＭ）、磁気または光学ディスクなどの静的記憶装置、あるいは、いかなる他のタイプの固定マシンまたはコンピュータ読取り可能なメディアのいかなる組合せを備えることもできる。メモリ１４に格納される命令は、プロセッサ２２によって実行されたときに、ここに記載されるように、装置１０にタスクを実行することを可能にするプログラム命令またはコンピュータ・プログラム・コードを含むことができる。
【００５０】
装置１０は、また、装置１０と、信号やデータを送信および受信するために１つ以上のアンテナ２５を含む、または、結合されることができる。装置１０は、更に、情報を送信および受信するように構成されるトランシーバ２８を含む、または、結合されることができる。例えば、トランシーバ２８は、アンテナ２５による伝送のためにキャリア波形に情報を変調し、他の装置１０の要素による更なる処理のために、アンテナ２５を介して受信された情報を復調するように構成することができる。他の実施形態において、トランシーバ２８は、直接、信号またはデータを送信および受信することができる。
【００５１】
プロセッサ２２は、例えば、アンテナ利得／位相パラメータのプレ符号化、通信メッセージを形成する個々のビットの符号化と復号化、情報のフォーマッティング、および、通信資源の管理に関するプロセス含む、装置１０の全体的な制御などを含むことができる装置１０の動作と結びついた機能を実行することができる。
【００５２】
実施形態において、メモリ１４は、プロセッサ２２により実行されるとき、機能性を提供するソフトウェア・モジュールを格納することができる。このモジュールは、例えば、装置１０のためのオペレーティング・システム機能を提供するペレーティング・システムなどを含むことができる。メモリは、また、装置１０に対して追加的な機能を提供するために、アプリケーションまたはプログラムなどの１つ以上の機能モジュールを格納することができる。装置１０のコンポーネントは、ハードウェア、または、ハードウェアとソフトウェアとのいかなる適切な組合せとしてでもインプリメントすることができる。
【００５３】
実施形態にしたがって、装置１０は、例えば、アクセス・ポイント、基地局またはｅＮＢであり得る。この実施の形態において、装置１０は、ＬＴＥ−Ｕなどの無線システムに対するＳＣＳ構造を規定するために、メモリ１４および、プロセッサ２２によって制御することができる。ここで、その構造は、基準信号部分を備え、任意選択的に、制御信号部分を含む。１つの実施形態において、装置１０は、ＳＣＳメッセージを１つ以上の無線システム（例えば、ＬＴＥ−Ｕ）のＵＥｓに送信するためにメモリ１４およびプロセッサ２２によって制御することができる。ここで、ＳＣＳメッセージは基準信号部分を備え、そして、任意選択的に、制御信号部分を含むことができる。ある実施形態において、基準信号部分および制御信号部分は、独立に構成し、および／または、独立に送信されることができる。実施形態にしたがって、該基準信号部分は、ＵＥが、セル検索、同期、精密時間／周波数トラッキング、ラジオ資源管理（ＲＲＭ）測定、ラジオ・リンク・モニタリング、および／または、ＣＳＩ（ｃｈａｎｎｅｌ  ｓｔａｔｅ  ｉｎｆｏｒｍａｔｉｏｎ）報告のうちの１つ以上を実行することを可能にする基準信号を備える。
【００５４】
実施形態において、基準信号部分は、例えば、ＰＳＳ／ＳＳＳ／ＣＲＳやＣＳＩ−ＲＳなどを含むディスカバリ信号に存在する信号を含むことができる。基準信号部分は、ＬＴＥ  Ｒｅｌ−１２ディスカバリ信号に基づいたものであることができる。いくつかの実施例にしたがって、制御信号部分は、クリア・チャネル・アセスメント（ＣＣＡ）手続きなしで送信することができる。これに加えて、実施形態において、制御信号部分は、ＬＴＥ−Ｕセルがオンであるか、または、オフであるか、現在の各々のサブフレーム、または、次に来るサブフレームのセットが、オンであるか、または、オフであるか、現在の、または、次に来るラジオ・フレームの時間分割デュプレックス（ＴＤＤ）アップリンク・ダウンリンク構成が、ＬＴＥ−Ｕセルが、どのオペレータのネットワークに属しているかを識別するためのＰＬＭＮ  ＩＤ（ｐｕｂｌｉｃ  ｌａｎｄ  ｍｏｂｉｌｅ  ｎｅｔｗｏｒｋ  ｉｄｅｎｔｉｆｉｅｒ）、および／または、キャリア・ドメイン関連情報のうちの１つ以上を示す。
【００５５】
ある実施形態において、その制御信号部分は、物理ダウンリンク制御チャネル（ＰＤＣＣＨ）フォーマットを使用して送信することができる。また、いくつかの実施形態において、その制御信号部分は、１つ以上のダウンリンク制御情報（ＤＣＩ）メッセージを含む。実施形態にしたがって、その制御信号部分は、前記基準信号部分の一部によっても使用されるように、同一の直角周波数分割多重（ＯＦＤＭ）シンボルで伝送することができる。
【００５６】
実施形態にしたがって、装置１０は、制御信号部分のための特定の物理ダウンリンク制御チャネル（ＰＤＣＣＨ）サーチ領域を定義するために、メモリ１４および、プロセッサ２２によって制御することができる。１つの実施形態において、装置１０は、ＲＮＴＩ（ｒａｄｉｏ  ｎｅｔｗｏｒｋ  ｔｅｍｐｏｒａｒｙ  ｉｄｅｎｔｉｆｉｅｒ）で、前記制御信号部分の巡回冗長検査（ＣＲＣ：ｃｙｃｌｉｃ  ｒｅｄｕｎｄａｎｃｙ  ｃｈｅｃｋ）をスクランブルするために、メモリ１４および、プロセッサ２２によって制御することができる。
【００５７】
いくつかの実施形態において、ＳＣＳメッセージは、例えば、５、１０、１５、２０、４０、８０または１６０ミリ秒の周期性で、伝送することができる。例えば、実施形態において、ＳＣＳメッセージは、ラジオ・フレームのサブフレーム＃０またはサブフレーム＃５の少なくとも１つにおいて、伝送することができる。別の実施形態にしたがって、ＳＣＳメッセージは、チャネル予約ウィンドウ（ＣＲＷ：ｂｅｇｉｎｎｉｎｇ  ｏｆ  ａ  ｃｈａｎｎｅｌ  ｒｅｓｅｒｖａｔｉｏｎ  ｗｉｎｄｏｗ）の始めに伝送することができる。実施形態にしたがって、ＳＣＳ・メッセージまたはＣＲＷのタイミングは、クリア・チャネル・アセスメント（ＣＣＡ）または、ＬＢＴ（ｌｉｓｔｅｎ  ｂｅｆｏｒｅ  ｔａｌｋ）手続きを適用しない、別のセルのタイミングに依存することができ、および／または、ライセンス・スペクトルで送信されることができる。実施形態にしたがって、ＵＥは、ＳＣＳメッセージの間でまたはＣＲＷと、クリア・チャネル・アセスメント（ＣＣＡ）または、ＬＢＴ（ｌｉｓｔｅｎ  ｂｅｆｏｒｅ  ｔａｌｋ）手続きを適用しない別のセルのタイミングとの間の伝送タイミング関係に関して情報を受信することができ、および／またはライセンス・スペクトルで送信されることができる。タイミング関係情報は、例えば、フレームまたはサブフレーム・オフセットを含むことができ、および／または、セル・タイミングは、ラジオ・フレームのタイミングとして決定することができる。
【００５８】
１つの実施形態において、ＳＣＳ・メッセージ構成の少なくとも部分は、クリア・チャネル・アセスメント（ＣＣＡ）または、ＬＢＴ（ｌｉｓｔｅｎ  ｂｅｆｏｒｅ  ｔａｌｋ）手続きを適用しない別のセルを介して、少なくとも１つのＵＥに信号伝達されることができ、および／または、ライセンス・スペクトルで送信されることができる。ＳＣＳメッセージ構成は、少なくとも１つのＳＣＳ周期性に対する少なくとも１つの値、制御信号部分のＣＲＣをスクランブルするために用いられるＲＮＴＩ、制御信号部分の存在、特定の情報フィールドの存在、または、制御信号部分における標示を備えることができる。別の実施形態において、ＵＥは、少なくとも、第１のセルと第２のセルとを含むキャリア・アグリゲーションにおいて構成される。ここで、クリア・チャネル・アセスメント（ＣＣＡ）またはＬＢＴ（ｌｉｓｔｅｎｉｎｇ−ｂｅｆｏｒｅ−ｔａｌｋ）は、第１のセルの上には適用されず、ＳＵＥは、第１のセルを介して、ＳＣＳメッセージ構成のシグナリングを受信し、そして、第２のセルの上のＳＣＳメッセージを受信するためにＳＣＳメッセージ構成を使用する。
【００５９】
図６ｂは、別の実施形態にしたがう装置２０の例を図示する。実施形態において、装置２０は、ＬＴＥにおけるＵＥのような、通信ネットワークと結びついたモバイル局またはデバイスであることができる。当業者は、装置２０は、図６ｂにおいて示されないコンポーネントや特徴を含むことができることを理解することに留意する。本願発明の図示に必要なそれらのコンポーネントまたは特徴だけが、図６ｂに表される。
【００６０】
図６ｂに図示されるように、装置２０は、情報処理、命令実行または動作のためのプロセッサ３２を含む。プロセッサ３２は、いかなるタイプの汎用または特定目的プロセッサでもあり得る。図６ｂには、シングル・プロセッサ３２が示されるが、他の実施形態にしたがう、マルチ・プロセッサを利用することができる。実際、プロセッサ３２は、例えば、汎用コンピュータ、専用コンピュータ、マイクロプロセッサー、デジタル信号プロセッサ（ＤＳＰ）、フィールド・プログラマブル・ゲートアレイ（ＦＰＧＡｓ）、特定用途向け集積回路（ＡＳＩＣ）および、マルチコア・プロセッサ・アーキテクチャに基づいたプロセッサのうちの１つ以上を含むことができる。
【００６１】
装置２０は、メモリ３４を更に含み、これは、情報をおよびプロセッサ３２により実行することができる命令を格納するためにプロセッサ３２に結合することができる。メモリ３４は、１つ以上のメモリであることができ、そして、ローカル・アプリケーション環境に適切ないかなるタイプのものでもあることができる。また、例えば、半導体ベースのメモリ・デバイス、磁気メモリ・デバイスおよびシステム、光メモリ・デバイスおよびシステム、固定メモリ、および、脱着可能メモリのような任意の適切な揮発性または不揮発性のデータ格納技術を用いてインプリメントすることができる。例えば、メモリ３４は、ランダム・アクセス・メモリ（ＲＡＭ）、リード・オンリー・メモリ（ＲＯＭ）、磁気または光学ディスクなどの静的記憶装置、または、いかなる他のタイプの固定マシンまたはコンピュータ読取り可能なメディアのいかなる組合せを備えることもできる。メモリ３４に格納される命令は、プロセッサ３２によって実行されたときに、装置２０が、ここに記述されるタスクを実行することを可能にするプログラム命令またはコンピュータ・プログラム・コードを含むことができる。
【００６２】
装置２０は、また、装置２０と、信号やデータを送信および受信するために１つ以上のアンテナ３５を含むこともできる。装置２０は、更に、情報を送受信するように構成されるトランシーバ３８を含むことができる。例えば、トランシーバ３８は、アンテナ３５による伝送のためにキャリア波形に情報を変調し、装置２０の他の要素による更なる処理のために、アンテナ３５を介／して受信された情報を復調するように構成することができる。他の実施形態においては、トランシーバ３８は、直接、信号またはデータを送信および受信することができる。
【００６３】
プロセッサ３２は、アンテナ利得／位相パラメータのプレ符号化、通信メッセージを形成する個々のビットの符号化と復号化、情報のフォーマッティング、通信資源の管理に関するプロセスを含む、装置２０の全体的な制御を含む装置２０の動作と結びついた機能を実行することができる。しかし、それらに限定されるものではない。
【００６４】
実施形態においては、メモリ３４は、プロセッサ３２により実行されるとき、機能を提供するソフトウェア・モジュールを格納する。モジュールは、例えば、装置２０のためのオペレーティング・システム機能を提供するペレーティング・システムなどを含むことができる。メモリは、また、装置２０に対して追加的な機能を提供するために、アプリケーションまたはプログラムなどの１つ以上の機能モジュールを格納することができる。装置２０のコンポーネントは、ハードウェアで、または、ハードウェアとソフトウェアとのいかなる適切な組合せとしてでもインプリメントすることができる。
【００６５】
上述のように、１つの実施形態にしたがって、装置２０は、ＬＴＥにおけるＵＥなどのような、通信ネットワークにおける、または、それに関連したモバイル局またはデバイスであることができる。この実施の形態において、装置２０は、例えば、（ＬＴＥ−Ｕなど）無線システムにおけるｅＮＢから短い制御信号（ＳＣＳ）メッセージを受信するようにメモリ・３４および、プロセッサ３２によって制御することができる。ＳＣＳメッセージは、少なくとも、基準信号部分、および、オプションの制御信号部分を備えることができる。実施形態においては、基準信号部分および制御信号部分は、独立に構成され、および／または、独立に受信されることができる。基準信号部分は、装置が、例えば、セル検索、同期、精密時間／周波数トラッキング、ラジオ資源管理（ＲＲＭ）測定、ラジオ・リンク・モニタリング、および／または、ＣＳＩ（ｃｈａｎｎｅｌ  ｓｔａｔｅ  ｉｎｆｏｒｍａｔｉｏｎ）報告を実行することを可能にする基準信号を備えることができる。１つの実施形態において、ＳＣＳメッセージが制御信号部分を含まないとき、装置２０は、１つ以上の次に来るサブフレームは、データ通信のために使用されないか否かを可能性として含む、セルに特有の情報を決定するために、メモリ３４およびプロセッサ３２によって制御することができる。
【００６６】
図７ａは、実施形態にしたがう、方法のフローチャートの例を図示する。１つの実施形態において、本願方法は、例えば、基地局またはｅＮＢにより実行することができる。この方法は、７００において、ＬＴＥ−Ｕに対するＳＣＳ構造を定義することを含む。ここで、ＳＣＳ構造は、基準信号部分を備え、任意選択的に、制御信号部分を含む。１つの実施形態において、この方法は、７１０において、ＳＣＳメッセージを無線システムにおける１つ以上のＵＥ（例えば、ＬＴＥ−Ｕ）に送信することを更に含むことができる。ここで、ＳＣＳメッセージは基準信号部分を備え、そして、任意選択的に、制御信号部分を含むことができる。ある実施形態において、送信することは、基準信号部分および制御信号部分を別々に構成し、送信することを含むことができる。実施形態にしたがって、基準信号部分は、ＵＥが、セル検索、同期、精密時間／周波数トラッキング、ラジオ資源管理（ＲＲＭ）測定、ラジオ・リンク・モニタリング、および／または、ＣＳＩ（ｃｈａｎｎｅｌ  ｓｔａｔｅ  ｉｎｆｏｒｍａｔｉｏｎ）報告のうちの１つ以上を実行することを可能にする基準信号を備える。
【００６７】
図７ｂは、実施形態にしたがう、方法のフローチャートの例を図示する。１つの実施形態において、本願方法は、例えば、ＵＥにより実行することができる。この方法は、７５０において、例えば、基地局、アクセス・ポイント、または、  ＬＴＥ−ＵシステムにおけるｅＮＢから、ＳＣＳ（ｓｈｏｒｔ  ｃｏｎｔｒｏｌ  ｓｉｇｎａｌｉｎｇ）メッセージを受信することを含む。ＳＣＳメッセージは、少なくとも、基準信号部分、および、オプションの制御信号部分を備えることができる。実施形態においては、受信することは、基準信号部分および制御信号部分を別々に受信することを含むことができる。基準信号部分は、ＵＥが、例えば、セル検索、同期、精密時間／周波数トラッキング、ラジオ資源管理（ＲＲＭ）測定、ラジオ・リンク・モニタリング、および／または、ＣＳＩ（ｃｈａｎｎｅｌ  ｓｔａｔｅ  ｉｎｆｏｒｍａｔｉｏｎ）報告を実行することを可能にする基準信号を備えることができる。１つの実施形態において、７６０において、ＳＣＳメッセージが制御信号部分を備えないとき、本願方法は、１つ以上の次に来るサブフレームは、データ通信のために使用されないか否かを可能性として含む、セルに特有の情報を決定することを含むことができる。
【００６８】
いくつかの実施形態において、ここに記述された、上述の図７の中で図示されたものなど、いずれの方法の機能も、メモリに、または他のコンピュータ可読または有形メディアに格納されたソフトウェアやコンピュータ・プログラム・コードによってインプリメントすることができ、そして、プロセッサによって実行されることができる。他の実施形態において、機能を、ハードウェアによって、例えば、特定用途向け集積回路（ＡＳＩＣ）プログラム可能ゲートアレイ（ＰＧＡ）、フィールド・プログラマブル・ゲート・アレイ（ＦＰＧＡ）、または、ハードウェアおよびソフトウェアの他のいかなる組合せを用いることにより、実行することができる。
【００６９】
本願発明の実施形態は、いくつかの利点を提供する。例えば、いくつかの利点は、現在のＬＴＥソリューション（ディスカバリ信号、ｅＩＭＴＡ再構成指標、ＤＣＩフレームワーク、等）の最大共通性を提供することを含むこれに加えて、ある実施形態は、ＥＴＳＩによって規定された規則に沿った同期ＬＴＥ−Ｕ動作を容易にする。いくつかの実施形態は、また、ＬＴＥ−Ｕセル・ディスカバリ、ＲＲＭ測定、および、可能性としてＥＴＳＩによって規定される規則でのＣＳＩ測定機会も容易にする。更にまた、その制御部分は、相当に柔軟であり、ＬＴＥ−Ｕ動作において有益であるとみられる異なる使用事例に対して適用することができる。加えて、実施形態は、少なくとも、ＳＤＬおよびＴＤＤ動作の両方をカバーする。
【００７０】
当業者は、上で示したように本願発明は、異なる順序のステップで、および／または、開示されたものと異なる構成におけるハードウェア要素で実施することができることを容易に理解する。したがって、本願発明が、これらの好適な実施形態に基づいて記述されたけれども、当業者にとっては、ある修正、バリエーション、そして、代替の構造は明らかであり、一方、本願発明の趣旨、範囲に留まることは明白である。したがって、本願発明の境界と限界を決定するために、添付の特許請求の範囲の請求項を参照しなければならない。
【図１】
2020145715.tif 000003
【図２】
2020145715.tif 000004
【図３】
2020145715.tif 000005
【図４】
2020145715.tif 000006
【図５ａ】
2020145715.tif 000007
【図５ｂ】
2020145715.tif 000008
【図６ａ】
2020145715.tif 000009
【図６ｂ】
2020145715.tif 000010
【図７ａ】
2020145715.tif 000011
【図７ｂ】
2020145715.tif 000012
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
ショート制御信号伝送メッセージを、ネットワーク・ノードによって、少なくとも１つのユーザ装置に送信するステップを含み、
前記ショート制御信号伝送メッセージは、基準信号部分および制御信号部分を備え、
前記基準信号部分は、ディスカバリ信号に存在する信号を備え、
該ディスカバリ信号は、一次同期信号、二次同期信号、セル固有基準信号、チャネル状態情報基準信号のうちの少なくとも１つを含み、
前記基準信号部分は、前記少なくとも１つのユーザ装置が、セル検索、同期、精密時間／周波数トラッキング、ラジオ資源管理測定、ラジオ・リンク・モニタリング、チャネル状態情報報告のうちの少なくとも１つを実行するのを可能にする基準信号を含む、
無線通信の方法。
【請求項２】
前記ショート制御信号伝送メッセージは、５０ｍｓの観測期間内に５％の最大デューティ・サイクルを有する、請求項１に記載の方法。
【請求項３】
前記基準信号部分は、ディスカバリ信号に存在する信号を備え、該ディスカバリ信号はチャネル状態情報基準信号を含む、請求項１または請求項２に記載の方法。
【請求項４】
前記ショート制御信号伝送メッセージは、クリアチャネル評価またはＬＢＴ（ｌｉｓｔｅｎｉｎｇ−ｂｅｆｏｒｅ−ｔａｌｋ）なしで送信される、請求項１または請求項２に記載の方法。
【請求項５】
前記制御信号部分は、
セルがオンまたはオフであるか、
現在の各々のサブフレーム、または、次に来るサブフレームのセットが、オンまたはオフであるか、
現在の、または、次に来るラジオ・フレームの時間分割デュプレックスアップリンク・ダウンリンク構成、
前記セルがどのオペレーターのネットワークに属しているかを識別するためのＰＬＭＮＩＤ（Ｐｕｂｌｉｃｌａｎｄｍｏｂｉｌｅｎｅｔｗｏｒｋｉｄｅｎｔｉｆｉｅｒ）、物理報知チャネル（ＰＢＣＨ）による情報、システム情報のうちの少なくとも１つを示す、
請求項１に記載の方法。
【請求項６】
前記送信するステップは、５、１０、１５、２０、４０、８０または１６０ミリ秒の周期性で、前記ショート制御信号伝送メッセージを送信するステップを含む、請求項１に記載の方法。
【請求項７】
前記制御信号部分は、前記基準信号部分の一部によっても使用されるように、同一の直角周波数分割多重シンボルで送信される、請求項１または請求項５に記載の方法。
【請求項８】
前記送信するステップは、ラジオ・フレームのサブフレーム＃０およびサブフレーム＃５のうちの少なくとも１つにおいて、前記ショート制御信号伝送メッセージを送信するステップを含む、請求項１または請求項２に記載の方法。
【請求項９】
少なくとも１つのプロセッサと、コンピュータ・プログラム・コードを含む少なくとも１つのメモリと、を備える無線通信のための装置であって、
該少なくとも１つのメモリと、該コンピュータ・プログラム・コードとは、該少なくとも１つのプロセッサを用いて、前記装置に、少なくとも、ショート制御信号伝送メッセージを少なくとも１つのユーザ装置へ送信させるように構成され、
該ショート制御信号伝送メッセージは、基準信号部分および制御信号部分を備え、
前記基準信号部分は、ディスカバリ信号に存在する信号を備え、
該ディスカバリ信号は、一次同期信号、二次同期信号、セル固有基準信号、チャネル状態情報基準信号のうちの少なくとも１つを含み、
前記基準信号部分は、前記少なくとも１つのユーザ装置が、セル検索、同期、精密時間／周波数トラッキング、ラジオ資源管理測定、ラジオ・リンク・モニタリング、チャネル状態情報報告のうちの少なくとも１つを実行するのを可能にする基準信号を含む、
装置。
【請求項１０】
前記ショート制御信号伝送メッセージは、５０ｍｓの観測期間内に５％の最大デューティ・サイクルを有する、請求項９に記載の装置。
【請求項１１】
前記基準信号部分は、ディスカバリ信号に存在する信号を備え、該ディスカバリ信号はチャネル状態情報基準信号を含む、請求項９または請求項１０に記載の装置。
【請求項１２】
前記ショート制御信号伝送メッセージは、クリアチャネル評価またはＬＢＴ（ｌｉｓｔｅｎｉｎｇ−ｂｅｆｏｒｅ−ｔａｌｋ）なしで送信される、請求項９または請求項１０に記載の装置。
【請求項１３】
前記制御信号部分は、
セルがオンまたはオフであるか、
現在の各々のサブフレーム、または、次に来るサブフレームのセットが、オンまたはオフであるか、
現在の、または、次に来るラジオ・フレームの時間分割デュプレックスアップリンク・ダウンリンク構成、
前記セルがどのオペレーターのネットワークに属しているかを識別するためのＰＬＭＮ  ＩＤ（Ｐｕｂｌｉｃ  ｌａｎｄ  ｍｏｂｉｌｅ  ｎｅｔｗｏｒｋ  ｉｄｅｎｔｉｆｉｅｒ）、物理報知チャネル（ＰＢＣＨ）による情報、システム情報のうちの少なくとも１つを示す、
請求項９に記載の装置。
【請求項１４】
前記ショート制御信号伝送メッセージは、５、１０、１５、２０、４０、８０または１６０ミリ秒の周期性で、送信される、請求項９に記載の装置。
【請求項１５】
前記制御信号部分は、前記基準信号部分の一部によっても使用されるように、同一の直角周波数分割多重シンボルで送信される、請求項９または請求項１３に記載の装置。
【請求項１６】
前記制御信号部分は、物理ダウンリンク制御チャネルフォーマットを用いて送信され、  前記制御信号部分は、少なくとも１つのダウンリンク制御情報（ＤＣＩ）メッセージを備える、請求項９または請求項１３に記載の装置。
【請求項１７】
前記少なくとも１つのメモリおよび前記コンピュータ・プログラム・コードは、該少なくとも１つのプロセッサを用いて、前記装置に、少なくとも、制御信号部分のための物理ダウンリンク制御チャネルサーチ・スペースを規定させるようにさらに構成される、請求項９または請求項１３に記載の装置。
【請求項１８】
前記少なくとも１つのメモリおよび前記コンピュータ・プログラム・コードは、該少なくとも１つのプロセッサを用いて、前記装置に、少なくとも、ＲＮＴＩ（ｒａｄｉｏｎｅｔｗｏｒｋｔｅｍｐｏｒａｒｙｉｄｅｎｔｉｆｉｅｒ）で、前記制御信号部分の巡回冗長検査をスクランブルさせ、または、
クリアチャネル評価もしくは、ＬＢＴ（ｌｉｓｔｅｎｂｅｆｏｒｅｔａｌｋ）手続きが使用されないセルを介したラジオ・リソース制御信号によって前記少なくとも１つのユーザ装置のＲＮＴＩを信号伝達させるようにさらに構成される、
請求項９または請求項１３に記載の装置。
【請求項１９】
前記ショート制御信号伝送メッセージは、チャネル予約ウィンドウの始めに送信される、請求項９または請求項１０に記載の装置。
【請求項２０】
ユーザ装置によって、ネットワーク・ノードからショート制御信号伝送メッセージを受信するステップであって、前記ショート制御信号伝送メッセージは、基準信号部分および制御信号部分を備える、ステップと、
前記ユーザ装置によって、セル検索、同期、精密時間／周波数トラッキング、ラジオ資源管理測定、ラジオ・リンク・モニタリング、および、前記基準信号部分に基づくチャネル状態情報報告、チャネル状態情報基準信号のうちの少なくとも１つを実行するステップと、
を含む無線通信の方法であって、
前記基準信号部分は、一次同期信号、二次同期信号、および、セル固有基準信号のうちの少なくとも１つを含むディスカバリ信号に存在する信号を備え、
前記基準信号部分は、前記少なくとも１つのユーザ装置が、セル検索、同期、精密時間／周波数トラッキング、ラジオ資源管理測定、ラジオ・リンク・モニタリング、および、チャネル状態情報報告のうちの少なくとも１つを実行するのを可能にする基準信号を備える、
方法。
【請求項２１】
前記ショート制御信号伝送メッセージは、５０ｍｓの観測期間内に５％の最大デューティ・サイクルを有する、請求項２０に記載の方法。
【請求項２２】
前記ショート制御信号伝送メッセージが、前記制御信号部分を備えるとき、前記方法は、前記ユーザ装置によって、次に来るサブフレームのうちの１つ以上が、データ通信のために使用されないか否かを含むセル特定情報を決定するステップを更に含む、請求項２０に記載の方法。
【請求項２３】
前記受信するステップは、５、１０、１５、２０、４０、８０または１６０ミリ秒の周期性で、前記ショート制御信号伝送メッセージを受信するステップを含む、請求項２０または請求項２１に記載の方法。
【請求項２４】
少なくとも１つのプロセッサと、コンピュータ・プログラム・コードを含む少なくとも１つのメモリと、を備える無線通信のための装置であって、  
該少なくとも１つのメモリと、該コンピュータ・プログラム・コードとは、該少なくとも１つのプロセッサを用いて、前記装置に、少なくとも、
ショート制御信号伝送メッセージをネットワーク・ノードから受信させ、
前記ショート制御信号伝送メッセージは、基準信号部分および制御信号部分を備えるものであり、
セル検索、同期、精密時間／周波数トラッキング、ラジオ資源管理測定、ラジオ・リンク・モニタリング、前記基準信号部分に基づくチャネル状態情報報告のうちの少なくとも１つを実行させるように構成され、
前記基準信号部分は、一次同期信号、二次同期信号、セル固有基準信号、チャネル状態情報基準信号のうちの少なくとも１つを含むディスカバリ信号に存在する信号を備え、
前記基準信号部分は、前記装置が、セル検索、同期、精密時間／周波数トラッキング、
ラジオ資源管理測定、ラジオ・リンク・モニタリング、チャネル状態情報報告のうちの少なくとも１つを実行するのを可能にする基準信号を含む、
装置。
【請求項２５】
前記ショート制御信号伝送メッセージは、５０ｍｓの観測期間内に５％の最大デューティ・サイクルを有する、請求項２４に記載の装置。
【請求項２６】
前記ショート制御信号伝送メッセージが、前記制御信号部分を備えるとき、前記少なくとも１つのメモリと、前記コンピュータ・プログラム・コードとは、前記少なくとも１つのプロセッサを用いて、前記装置に、少なくとも、次に来るサブフレームのうちの１つ以上が、データ通信のために使用されないか否かを含むセル特定情報を決定させるように構成される、請求項２４に記載の装置。
【請求項２７】
前記制御信号部分は、
セルがオンまたはオフであるか、
現在の各々のサブフレーム、または、次に来るサブフレームのセットが、オンまたはオフであるか、
現在の、または、次に来るラジオ・フレームの時間分割デュプレックスアップリンク・ダウンリンク構成、
前記セルがどのオペレーターのネットワークに属しているかを識別するためのＰＬＭＮ  ＩＤ（Ｐｕｂｌｉｃ  ｌａｎｄ  ｍｏｂｉｌｅ  ｎｅｔｗｏｒｋ  ｉｄｅｎｔｉｆｉｅｒ）、物理報知チャネル（ＰＢＣＨ）による情報、システム情報のうちの少なくとも１つを示す、
請求項２４または請求項２６に記載の装置。
【請求項２８】
前記少なくとも１つのメモリと、前記コンピュータ・プログラム・コードと、は、前記少なくとも１つのプロセッサを用いて、前記装置に、少なくとも、５、１０、１５、２０、４０、８０または１６０ミリ秒の周期性で、前記ショート制御信号伝送メッセージを受信させるように構成される、請求項２４または請求項２５に記載の装置。
【請求項２９】
前記基準信号部分は、ディスカバリ信号に存在する信号を備え、該ディスカバリ信号はチャネル状態情報基準信号を含む、請求項２４または請求項２５に記載の装置。
【外国語明細書】
2020145715000001.pdf